【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
患者の体腔から流体を排出するための体排液システムであって、前記体腔が連絡口を備える、体排液システムであって、前記体排液システムは、
回転可能な蠕動ポンプ機構（２）と、
前記蠕動ポンプ機構の少なくとも一部分を収容するためのハウジング（１）と、
連絡口端部において前記患者の連絡口に、及び収集ユニット端部において収集ユニット（８）に、接続するように構成された可撓性チューブユニット（３、６、７）と、
前記蠕動ポンプ機構（２）の可動部を覆うカバーと、
前記蠕動ポンプ機構の回転速度を調整するように構成された調整器ユニットと、を具備する、体排液システムにおいて、
前記可撓性チューブユニット（３、６、７）は、所望の方向において圧送が生じるように、前記回転可能な蠕動ポンプ機構が前記可撓性チューブユニット（３、６）のポンプ部分（３）を繰り返し圧縮可能にする、蠕動ポンプ機構において一方向のみにおいて設置されるように構成されており、更に、
前記調整器ユニットは、使用者指令に応じて排液サイクルを実行するように構成されており、
前記排液サイクルは、
その間に蠕動ポンプがゼロ回転数から第１の所定回転数まで加速する、加速段階と、
前記蠕動ポンプが前記第１の所定回転数を維持するように制御される、動作段階と、
その間に前記蠕動ポンプが前記第１の所定回転数からゼロ回転数まで減速する、減速段階と、を具備することを特徴とする体排液システム。
【請求項２】
前記体排液システムが、円筒状又は部分的に円筒状の内面を更に具備し、
前記可撓性チューブユニット（３、６、７）のループは、前記回転可能な蠕動ポンプ機構が前記可撓性チューブユニット（３、６、７）のポンプ部分（３）を、所望の方向における効率的な圧送に寄与する、前記円筒状の内面に対して、繰り返し圧縮することを可能にする、前記回転可能な蠕動ポンプ機構において一方向のみにおいて設置されるように構成される、ことを特徴とする請求項１に記載の体排液システム。
【請求項３】
それぞれ開放位置に設定可能であって且つ閉位置に設定可能な保持手段を更に具備し、更にその保持手段は、前記閉位置に設定された時に、前記蠕動ポンプ機構のために請求項１に記載の前記円筒状の内面を提供し、更に請求項１に記載の前記カバーを同時に構成する、ことを特徴とする請求項１又は２に記載の体排液システム。
【請求項４】
前記調整器ユニットは、前記加速段階の時間期間が２０〜４０秒の間隔で選択されており且つ前記動作段階の時間期間が１５０〜１５０秒の間隔で選択されており且つ減速段階の時間期間が２０〜４０秒の間隔で選択されるように構成されており、更に、
前記加速段階の時間期間、前記動作段階の時間期間及び前記減速段階の時間期間は、それぞれ、約３０、２００及び３０秒として選択されることが好ましい、ことを特徴とする請求項１〜３のいずれか一項に記載の体排液システム。
【請求項５】
前記可撓性チューブユニット（３、６、７）は、排液チューブの第１の部分（７ａ）と排液チューブの第２の部分（７ｂ）とを有し、
前記第２の部分（７ｂ）は、収集ユニット（８）に接続可能である出口端部を有し、
前記収集ユニットは、前記収集ユニット内の流体の化学的パラメータに関する情報を使用者に提供するように化学的表示手段を備える、ことを特徴とする請求項１〜４のいずれか一項に記載の体排液システム。
【請求項６】
前記化学的表示手段は、例えば、リトマス試験紙等の、色変移指示手段である、ことを特徴とする請求項５に記載の体排液システム。
【請求項７】
排液チューブ（７）及び蠕動ポンプを介して体液を排出するための装置において、
前記蠕動ポンプ機構（２）は、多数の円筒状の圧縮ロールを有する回転フレームから構成されており、
前記蠕動ポンプ機構及び円筒状の内面は、前記可撓性チューブのループを、前記圧縮ロールが前記ループに沿って移動する際に前記可撓性チューブを圧縮するために、前記蠕動ポンプ機構と前記円筒状の内面の間に保持するように構成されており、
前記円筒状の内面は、前記可撓性チューブを前記蠕動ポンプ機構（２）に対して正しい位置に前記可撓性チューブを保持するように、及び前記蠕動ポンプ機構を覆うように且つ湿った拭き取り布及び指のような所望されない物体が前記蠕動ポンプ機構に引っ掛かることを防止するように配置された、カバーの内面として配置される、ことを特徴とする装置。
【請求項８】
前記体液は、前記可撓性チューブの端部において収集されており、別の分析（９）は、化学的指示器を介して決定される、ｐＨ及び乳酸であってもよい、ことを特徴とする請求項７に記載の装置。
【請求項９】
前記可撓性チューブ（７）は、排液処置の全体を通して前記可撓性チューブを所定の位置に保持する、固定手段（６）を介して前記正しい位置に配向される、ことを特徴とする請求項７又は８に記載の装置。
【請求項１０】
体液が空洞から取り除かれるべき患者の連絡口への接続部を具備する、体液を排出するための装置において、前記装置は、
流体を収集ユニット内に圧送するように、可撓性チューブを蠕動ポンプ機構を介して挿入する、段階を実施するように用いられており、
圧送のプログラムされたループが、前記体腔内の様々な適用される吸引圧力を実施するように実行される、ことを特徴とする装置。
【請求項１１】
蠕動運動は、動作中において、予めプログラムされた調節機構により制御される、ことを特徴とする請求項１０に記載の装置。
【請求項１２】
前記可撓性チューブの挿入及び前記可撓性チューブを前記蠕動ポンプ機構内に保持する、カバーの閉鎖後に、前記蠕動ポンプは、電源ボタンを押すことにより作動されてもよい、ことを特徴とする請求項１０又は１１に記載の装置。
【請求項１３】
患者の体腔から流体を排出するための蠕動排液システムであって、
前記体液が、血清、唾液、水、創傷液、リンパ液、血管外血液、タンパク質を含む腹水又はそれらの組み合わせの群から選択される、ことを特徴とする請求項１〜６のいずれか一項に記載の蠕動排液システム。
【請求項１４】
前記体液が、水、創傷液、リンパ液、血管外血液の群から選択される、ことを特徴とする請求項１３に記載の排液システム。
【請求項１５】
患者からの体液の排液に適した部品のキットであって、前記キットは、
蠕動機構と排液配管のループのための第１の固定手段とを有する蠕動ポンプユニットと、
圧送中に前記排液配管を所定の位置に保持するために、前記蠕動ポンプユニットの前記第１の固定手段と協働するための第２の固定手段を有する、排液配管のループと、
排出された流体を収集するための収集ユニットと、を具備することを特徴とするキット。
【請求項１６】
蠕動ポンプユニットであって、
回転可能な蠕動ポンプ機構（２）と、
前記蠕動ポンプ機構の少なくとも一部分を収容するためのハウジング（１）と、
前記蠕動ポンプ機構（２）の可動部を覆うためのカバーと、
排液配管（３、６、７）のループ（３）のための第１の固定手段（２１）と、
前記蠕動ポンプ機構の回転速度を調整するように構成された調整器ユニットと、を具備することを特徴とする蠕動ポンプユニット。
【請求項１７】
連絡口端部において患者連絡口に且つ収集ユニット端部において収集ユニット（８）に接続されるように構成された可撓性チューブユニット（３、６、７）であって、
圧送中に排液配管を所定位置に保持するために、前記蠕動ポンプユニットの第１の固定手段（２１）と協働するための第２の固定手段（６）を更に具備する、ことを特徴とする可撓性チューブユニット（３、６、７）。
【請求項１８】
化学的表示手段を備える収集バッグを更に具備する、ことを特徴とする請求項１７に記載の可撓性チューブユニット（３、６、７）。
【請求項１９】
前記蠕動ポンプ機構（２）の可動部を覆うための前記カバーは、前記カバーが開かれた時に、前記蠕動ポンプを自動的に停止にするように構成された、スイッチに結合される、ことを特徴とする請求項１に記載の体排液システム。
【請求項２０】
前記カバーは、ヒンジ式機構カバー（２４１）であって、前記ヒンジ式機構カバー（２４１）は、前記ヒンジ式機構カバー（２４１）が開かれた時に、前記蠕動ポンプを自動的に停止するように構成された、機械的に作動されるスイッチに結合される、ことを特徴とする請求項１又は１９に記載の体排液システム。
【請求項２１】
前記スイッチは、前記ヒンジ式機構カバー（２４１）と同じヒンジにおいて旋回するレバーの遠位端部において形成されており、更に前記ヒンジ式機構カバー（２４１）が閉じた位置にある時にそのレバー端部に近接して配置される接点を備えており、従って、前記ヒンジ式機構カバー（２４１）が前記機構上に正しく設置された時に、前記接点は閉じられており、前記ヒンジ式機構カバー（２４１）がその正しい位置から離れて移動する時に前記接点は開かれるので、従って、前記スイッチは、ポンプ回路を遮断するように構成されて、前記蠕動ポンプを自動的に停止させる、ことを特徴とする請求項２０に記載の体排液システム。
【請求項２２】
前記システムは、排液流体用の収集バッグを吊るすための収集バッグハンガーを更に具備し、
前記収集バッグハンガーは、収集された体積を測定するために、前記収集バッグ及びその内容物の重量を測定するための秤量手段を具備し、更に、
前記秤量手段は、ロードセル及び／又は歪ゲージを具備する、ことを特徴とする請求項１に記載の体排液システム。
【請求項２３】
前記システムは、前記収集バッグの内面に設けられた、ｐＨセンサからの信号を受信して処理する、電子回路を具備するシステムにより排液流体のｐＨレベルを測定するように構成されており、更に、
前記ｐＨセンサは印刷される、ことを特徴とする請求項５に記載の体排液システム。
【請求項２４】
前記システムは、前記収集バッグの内面に設けられた、乳酸センサからの信号を受信して処理する、電子回路を具備するシステムにより、排液流体の乳酸レベルを測定するように構成されており、更に、
前記乳酸センサは印刷される、ことを特徴とする請求項５又は２３に記載の体排液システム。
【請求項２５】
前記システムは、表示ユニットを備えており、前記システムは、前記表示ユニット上にｐＨ及び／又は乳酸測定値を表示するように構成される、ことを特徴とする請求項２３又は２４に記載の体排液システム。
【請求項２６】
前記可撓性チューブユニット（３、６、７）の前記ポンプ部分（３）は、前記蠕動ポンプ機構の回転の８０〜１９０度の円弧の長さに対応するチューブの長さを具備する、ことを特徴とする請求項１に記載の体排液システム。
【請求項２７】
前記可撓性チューブユニット（３、６、７）の前記ポンプ部分（３）は、前記蠕動ポンプ機構の回転の８０〜１４０度の、又はより好適には８０〜１００度の、又は最も好適には８５〜９５度の、円弧長さに対応するチューブの長さを具備する、ことを特徴とする請求項２６に記載の体排液装置。